(57)【要約】      （修正有）【課題】排水に含まれる固形の塵に依存することなく、下水管の臭気が室内に伝播することを防止できる排液トラップを提供する。【解決手段】排液トラップ１００は、消泡筒１０４、椀１０３、フロート１０５、規制部材（内方突出部１０３ｃ）を有する。消泡筒は、管状に形成し、上方から流入する排水Ｗを下方に流通させる。椀は、消泡筒を底面から離間させた状態で収容し、消泡筒から流通される排水を貯留しつつ、上部の外縁１０３ｅから排水を外部に排出する。フロートは、消泡筒と椀との間に配設され、排水によって上下方向に移動しつつ、消泡筒と椀との間を閉塞自在としている。内方突出部は、フロートが椀の底面から離間した位置よりも下方に移動することを規制する。フロートは、椀に貯留された排水の減少に伴って下方に移動して内方突出部に当接しつつ消泡筒と椀との間を閉塞し、椀に貯留された排水の増加に伴って上方に移動して内方突出部から離間する。【選択図】図３
2015229835.tif 000002
【特許請求の範囲】
【請求項１】
管状に形成し、上方から流入する流体を下方に流通させる流通部材と、
前記流通部材の少なくとも一部を底面から離間させた状態で収容し、前記流通部材から流通される前記流体を貯留しつつ、上部の外縁から前記流体を外部に排出する貯留部材と、
前記流通部材と前記貯留部材との間に配設され、前記流体によって上下方向に移動しつつ、前記流通部材と前記貯留部材との間を閉塞自在な閉塞部材と、
前記閉塞部材が前記貯留部材の底面から離間した位置よりも下方に移動することを規制する規制部材と、を有し、
前記閉塞部材は、
前記貯留部材に貯留された前記流体の減少に伴って下方に移動して、前記規制部材に当接しつつ、前記流通部材と前記貯留部材との間を閉塞し、
前記貯留部材に貯留された前記流体の増加に伴って上方に移動して、前記規制部材から離間する排液トラップ。
【請求項２】
前記閉塞部材は、環状に形成した請求項１に記載の排液トラップ。
【請求項３】
前記閉塞部材は、前記規制部材に対して面接触する請求項１または２に記載の排液トラップ。
【請求項４】
前記閉塞部材は、前記規制部材に対して重力方向と交差した方向から面接触する請求項３に記載の排液トラップ。
【請求項５】
前記閉塞部材は、前記貯留部材の前記外縁の位置よりも上方に移動自在とした請求項１〜４のいずれか１項に記載の排液トラップ。
【請求項６】
前記閉塞部材は、流体よりも比重が小さい請求項１〜５のいずれか１項に記載の排液トラップ。
【請求項７】
前記規制部材は、前記貯留部材の内面から内方に突出した内方突出部とした請求項１〜６のいずれか１項に記載の排液トラップ。
【請求項８】
前記流通部材と前記貯留部材との間に配設され、前記貯留部材に接続する中間部材を、さらに有し、
前記閉塞部材は、前記中間部材と前記貯留部材との間に配設された請求項１〜７のいずれか１項に記載の排液トラップ。
【請求項９】
前記閉塞部材は、前記中間部材の外面に沿って上下方向に移動する請求項８に記載の排液トラップ。
【発明の詳細な説明】
【技術分野】
【０００１】
本発明は、例えば下水管の内部の臭気が室内に伝播することを防止する排液トラップに関する。
【背景技術】
【０００２】
従来から、例えば下水管の内部の臭気が室内に漏れることを防止しつつ排水するような、いわゆる排水トラップがある。一般的な排水トラップは、椀に相当する貯留部材と消泡筒に相当する流通部材の間に排水を満たす構成によって、下水管の内部の臭気が室内に漏れること防止している。ところが、貯留部材と流通部材の間に満たされ臭気の流通を防止している排水が、送風や自然乾燥等によって減少または枯渇した場合、下水管の内部の臭気が貯留部材と流通部材の間を通って室内に漏れ出してしまう。
【０００３】
そこで、例えば、臭気の流通を封止している排水が蒸発等した場合に、その排水に浮かんでいた環状閉鎖具を下降させて、容器に相当する貯留部材の底部に対して環状閉鎖具を着座させることによって、貯留部材と流通部材の間を閉塞し、下水管の内部の臭気の流通を封止する技術が開示されている（例えば、特許文献１参照。）。
【先行技術文献】
【特許文献】
【０００４】
【特許文献１】特開２０１０−４８０３０号公報
【発明の概要】
【発明が解決しようとする課題】
【０００５】
しかしながら、上記の排水トラップの構成では、排水に含まれている固形の塵が貯留部材の底部に沈殿してしまうと、貯留部材と流通部材の間を十分に閉塞することが難しい。固形の塵は、その上面が平坦となるように、貯留部材の底部に沈殿するとは限らない。すなわち、環状閉鎖具と固形の塵の隙間から、下水管の内部の臭気が漏れ出してしまう虞がある（例えば、特許文献１参照。）。
【０００６】
本発明は、上記の課題を解決するためになされたものであり、排液に含まれている固形の塵に依存することなく、例えば下水管の内部の臭気が室内に伝播することを防止できる排液トラップの提供を目的とする。
【課題を解決するための手段】
【０００７】
上記目的を達成する本発明に係る排液トラップは、流通部材、貯留部材、閉塞部材、および規制部材を有する。前記流通部材は、管状に形成し、上方から流入する流体を下方に流通させる。前記貯留部材は、前記流通部材の少なくとも一部を底面から離間させた状態で収容し、前記流通部材から流通される前記流体を貯留しつつ、上部の外縁から前記流体を外部に排出する。前記閉塞部材は、前記流通部材と前記貯留部材との間に配設され、前記流体によって上下方向に移動しつつ、前記流通部材と前記貯留部材との間を閉塞自在としている。前記規制部材は、前記閉塞部材が前記貯留部材の底面から離間した位置よりも下方に移動することを規制する。ここで、前記閉塞部材は、前記貯留部材に貯留された前記流体の減少に伴って下方に移動して、前記規制部材に当接しつつ、前記流通部材と前記貯留部材との間を閉塞する。一方、前記閉塞部材は、前記貯留部材に貯留された前記流体の増加に伴って上方に移動して、前記規制部材から離間する。
【発明の効果】
【０００８】
上記のように構成した排液トラップによれば、貯留部材に貯留されている流体が送風や自然乾燥等によって減少または枯渇しても、貯留部材の底面から離間した位置よりも下方に移動することを規制された閉塞部材によって、貯留部材の底面の状態に依存することなく流通部材と貯留部材との間を閉塞することができる。したがって、排液トラップは、排液に含まれている固形の塵に依存することなく、外部の気体が貯留部材および流通部材を介して内部に流通することを防止できる。すなわち、排液トラップは、例えば下水管の内部の臭気が室内に伝播することを防止できる。
【図面の簡単な説明】
【０００９】
【図１】実施形態に係る排液トラップを構成部材毎に分解して示す分解斜視図である。
【図２】排液トラップを示す断面図である。
【図３】排液トラップの動作を示す断面図である。
【発明を実施するための形態】
【００１０】
以下、添付した図面を参照しながら、本発明の実施形態を説明する。図面の説明において同一の要素には同一の符号を付し、重複する説明を省略する。図面における各部材の大きさや比率は、説明の都合上誇張され実際の大きさや比率とは異なる場合がある。図３において、一点鎖線で表す矢印Ｆは排水Ｗの流れを示し、二点鎖線で表す矢印Ｓは臭気の流れを示している。
【００１１】
（実施形態）
先ず、排液トラップ１００の各構成部材（筐体１０１〜排水継手１１２）について、図１および図２を参照しながら順に説明する。
【００１２】
図１は、排液トラップ１００を構成部材毎に分解して示す分解斜視図である。図２は、排液トラップ１００を示す断面図である。
【００１３】
筐体１０１は、椀１０３の外縁１０３ｅから排出された排水Ｗを、下水管に流通させる。筐体１０１は、椀１０３から排水継手１１２の各構成部材を収容または支持する。筐体１０１は、例えば、トラップ本体と称され、洗濯機が載置されるいわゆる防水パンに埋設される。筐体１０１は、下部が閉塞された円筒形状に形成され、上部の上端１０１ａから椀１０３等を挿入して収容する。筐体１０１は、外周面から側方に向かって円筒形状に突出した形成された排出部１０１ｂを備えている。排出部１０１ｂの先端に開口した排出口１０１ｃは、椀１０３から排出された排水Ｗを、下水管に流通させる。
【００１４】
スリップパッキン１０２は、Ｕ字状パッキン１０９と目皿受１１０の間を密封する。スリップパッキン１０２は、例えば、伸縮性を備えたゴムからなり、上下方向に扁平であってリング状に形成されている。
【００１５】
椀１０３は、消泡筒１０４の少なくとも一部を底面１０３ａから離間させた状態で収容し、消泡筒１０４から流通される排水Ｗを貯留しつつ、上部の外縁１０３ｅから、筐体１０１の排出口１０１ｃを介して、排水Ｗを外部に排出する。椀１０３は、貯留部材に相当する。椀１０３は、下部が閉塞された円筒形状に形成され、上部の上端１０１ａから消泡筒１０４、フロート１０５、フロートストッパー１０６、および封水筒１０７等を挿入して収容している。椀１０３は、側面１０３ｂの上部に複数の開口１０３ｄを備え、その開口１０３ｄの下端に外縁１０３ｅを備えている。椀１０３は、側面１０３ｂの下部と上部を垂直に形成し、側面１０３ｂの中央部を傾斜させて形成されている。側面１０３ｂの下部は、側面１０３ｂの上部と比較して、その径を小さく形成している。すなわち、椀１０３は、側面１０３ｂの中央部において、内面から内方に突出した内方突出部１０３ｃを形成している。内方突出部１０３ｃは、規制部材の一の形態に相当し、フロート１０５が椀１０３の底面１０３ａから離間した位置よりも下方に移動することを規制する。
【００１６】
消泡筒１０４は、管状に形成し、上方から流入する排水Ｗを下方に流通させる。消泡筒１０４は、流通部材に相当する。消泡筒１０４は、上部１０４ａおよび下部１０４ｂが開放した円筒形状に形成している。消泡筒１０４の下部１０４ｂは、椀１０３の底面１０３ａから離間させた状態で、椀１０３に収容している。消泡筒１０４の上部１０４ａは、排水継手１１２の他端部１１２ｂを挿通させている。消泡筒１０４は、排水継手１１２から流入される排水Ｗを、椀１０３に流通させる。
【００１７】
フロート１０５は、消泡筒１０４と椀１０３との間に配設され、排水Ｗによって上下方向に移動しつつ、消泡筒１０４と椀１０３との間を閉塞自在としている。フロート１０５は、閉塞部材に相当する。フロート１０５は、例えば、排水Ｗよりも比重が小さいニトリルゴムからなり、環状に形成されている。フロート１０５は、外周面１０５ａを平坦に形成し、下方から上方にかけて傾斜している。フロート１０５が降下すると、その外周面１０５ａは、椀１０３の内方突出部１０３ｃに当接する。フロート１０５は、外周面１０５ａと同様に、内周面１０５ｂを平坦に形成し、下方から上方にかけて傾斜している。フロート１０５が上昇すると、その内周面１０５ｂは、封水筒１０７の上部の斜面１０７ｄに当接する。ここで、フロート１０５は、椀１０３に貯留された排水Ｗの減少に伴って下方に移動して、例えば内方突出部１０３ｃに対して当接しつつ、消泡筒１０４と椀１０３との間を閉塞する。この場合、フロート１０５は、例えば内方突出部１０３ｃに対して重力方向と交差した方向から面接触する。一方、フロート１０５は、椀１０３に貯留された排水Ｗの増加に伴って上方に移動して、例えば内方突出部１０３ｃから離間する。この場合、フロート１０５は、椀１０３の外縁１０３ｅの位置よりも上方に移動する。
【００１８】
フロートストッパー１０６は、封水筒１０７の下部１０７ｂに接続され、フロート１０５の下方に対する移動を規制している。フロートストッパー１０６は、規制部材の他の形態に相当する。フロートストッパー１０６は、例えば、円筒形状に形成されている。フロートストッパー１０６の上部１０６ａは、フロート１０５が降下した場合、フロート１０５の下部を支持して、それよりも下方に移動しないように規制する。フロートストッパー１０６の下部１０６ｂは、内方に向かって屈折して形成され、封水筒１０７の下部１０７ｂに接合している。フロートストッパー１０６の下部１０６ｂは、椀１０３の底面１０３ａから離間している。フロートストッパー１０６の外面を、フロート１０５の下方に面接触させている。したがって、封水筒１０７が椀１０３に対して傾いたり位置がずれたりして取り付けられたとしても、その影響を受けることなく、フロートストッパー１０６によってフロート１０５との隙間を密閉しつつ移動を規制することができる。
【００１９】
封水筒１０７は、消泡筒１０４と椀１０３との間に配設され、その上部１０７ａを椀１０３に接続している。封水筒１０７は、中間部材に相当する。封水筒１０７は、その上部１０７ａを側方に傾斜するように形成しつつ、円筒形状に形成されている。封水筒１０７と椀１０３との間に、フロート１０５が配設されている。封水筒１０７の下部１０７ｂは、椀１０３の底面１０３ａから離間した状態で、フロートストッパー１０６が接続されている。封水筒１０７の外面１０７ｃに沿って、フロート１０５が上下方向に移動する。
【００２０】
平状パッキン１０８は、封水筒１０７の上部１０７ａと目皿受１１０の下部１１０ｂの間を密封する。平状パッキン１０８は、例えば、伸縮性を備えたゴムからなり、上下方向に扁平であってリング状に形成されている。
【００２１】
Ｕ字状パッキン１０９は、目皿受１１０の上部１１０ａと椀１０３の上部の間を密封する。Ｕ字状パッキン１０９は、例えば、伸縮性を備えたゴムからなり、上下方向に扁平であってリング状に形成されている。さらに、Ｕ字状パッキン１０９は、径方向の外方から内方にかけて円弧状の溝が形成されている。
【００２２】
目皿受１１０は、上部１１０ａから挿入した目皿１１１を保持する。目皿受１１０は、例えば、円筒形状に形成している。目皿受け１１０の上部１１０ａは、側方に向かってリング状に突出させている。目皿受１１０の下部１１０ｂは、椀１０３に挿入して固定している。
【００２３】
目皿１１１は、洗濯機が載置されるいわゆる防水パンに溜った排水Ｗ等を消泡筒１０４に排出する。目皿１１１は、例えば、円盤形状に形成されている。目皿１１１は、上部から下部にかけて複数の貫通溝が形成されている。目皿１１１は、貫通溝を介して、排水Ｗ等を排出する。目皿１１１の中央に開口した貫通孔は、排水継手１１２の他端部１１２ｂを挿入している。
【００２４】
排水継手１１２は、例えば洗濯機の排水ホースを接続し、その排水ホースから排出される排水Ｗを消泡筒１０４に誘導する。排水継手１１２は、例えば、円筒形状であって中央部分を屈曲させて形成している。排水継手１１２の一端部１１２ａは、洗濯機の排水ホースの内部に挿入している。排水継手１１２の一端部１１２ａに対向した他端部１１２ｂは、目皿１１１および目皿受１１０に挿通し、かつ、消泡筒１０４の内部に挿入している。
【００２５】
次に、排液トラップ１００の動作について、図３を参照しながら順に説明する。
【００２６】
図３は、排液トラップ１００の動作を示す断面図である。図３において、一点鎖線で表す矢印Ｆは排水Ｗの流れを示し、二点鎖線で表す矢印Ｓは臭気の流れを示している。
【００２７】
図３（Ａ）に示すように、排液トラップ１００は、椀１０３の内部に排水Ｗが十分に貯留されている場合、フロート１０５が排水Ｗに浮かんでいる状態で、排水Ｗが椀１０３の外縁１０３ｅから溢れ出す。このとき、フロート１０５は、椀１０３の外縁１０３ｅの位置よりも上方に移動し、その内周面１０５ｂを封水筒１０７の上部の斜面１０７ｄに当接させている。矢印Ｆに示すように、排水継手１１２から椀１０３に流入した排水Ｗは、その椀１０３の外縁１０３ｅから筐体１０１に溢れ出した後、その筐体１０１の排出口１０１ｃから下水管に排出される。
【００２８】
図３（Ｂ）に示すように、排液トラップ１００は、椀１０３の内部に貯留された排水Ｗが減少した場合、フロート１０５が排水Ｗに浮かんでいる状態で下方に移動する。このとき、フロート１０５は、封水筒１０７の外面１０７ｃに沿って下方向に移動する。排水Ｗは、椀１０３の外縁１０３ｅから溢れ出していない。
【００２９】
図３（Ｃ）に示すように、排液トラップ１００は、椀１０３の内部に貯留された排水Ｗが内方突出部１０３ｃの位置よりも少ない場合、または椀１０３に貯留された排水Ｗが枯渇した場合、フロート１０５が内方突出部１０３ｃに対して面接触して停止し、消泡筒１０４と椀１０３との間を閉塞する。さらに、フロートストッパー１０６は、フロート１０５に当接し、それよりも下方に移動しないように規制しつつ、フロート１０５と封水筒１０７との間を密閉している。矢印Ｓに示すように、臭気は、筐体１０１の排出口１０１ｃからフロート１０５まで到達した後、そのフロート１０５に阻まれることから、消泡筒１０４を介して室内に漏れ出すことがない。
【００３０】
上述した実施形態によれば、以下の構成によって作用効果を奏する。
【００３１】
（１）排液トラップ１００は、流通部材（消泡筒１０４）、貯留部材（椀１０３）、閉塞部材（フロート１０５）、および規制部材（例えば内方突出部１０３ｃ）を有している。消泡筒１０４は、管状に形成し、上方から流入する流体（排水Ｗ）を下方に流通させる。椀１０３は、消泡筒１０４の少なくとも一部を底面１０３ａから離間させた状態で収容し、消泡筒１０４から流通される排水Ｗを貯留しつつ、上部の外縁１０３ｅから排水Ｗを外部に排出する。フロート１０５は、消泡筒１０４と椀１０３との間に配設され、排水Ｗによって上下方向に移動しつつ、消泡筒１０４と椀１０３との間を閉塞自在としている。例えば内方突出部１０３ｃは、フロート１０５が椀１０３の底面１０３ａから離間した位置よりも下方に移動することを規制する。ここで、フロート１０５は、椀１０３に貯留された排水Ｗの減少に伴って下方に移動して、例えば内方突出部１０３ｃに当接しつつ、消泡筒１０４と椀１０３との間を閉塞する。一方、フロート１０５は、椀１０３に貯留された排水Ｗの増加に伴って上方に移動して、例えば内方突出部１０３ｃから離間する。
【００３２】
このような構成の排液トラップ１００によれば、椀１０３に貯留されている排水Ｗが送風や自然乾燥等によって減少または枯渇しても、椀１０３の底面１０３ａから離間した位置よりも下方に移動することを規制されたフロート１０５によって、椀１０３の底面１０３ａの状態に依存することなく、消泡筒１０４と椀１０３との間を閉塞することができる。したがって、排液トラップ１００は、排水Ｗに含まれている固形の塵に依存することなく、外部の気体が椀１０３および消泡筒１０４を介して内部に流通することを防止できる。すなわち、排液トラップ１００は、例えば下水管の内部の臭気が室内に伝播することを防止できる。
【００３３】
（２）さらに、フロート１０５は、環状に形成した構成としてもよい。
【００３４】
このような構成の排液トラップ１００によれば、環状に形成したフロート１０５によって、椀１０３の全周と消泡筒１０４の全周を閉塞することができる。したがって、排液トラップ１００は、椀１０３の全周にわたる外縁１０３ｅから排水Ｗを十分に排出しつつ、その全周をフロート１０５によって十分に閉塞することができる。さらに、排液トラップ１００は、フロート１０５を長方体形状ではなくて環状に形成することによって、フロート１０５が他の構成部材に挟まったり落ち込んだりすることを防止できる。同様に、フロート１０５を長方体形状ではなくて環状に形成することによって、フロート１０５が排水Ｗから不規則に押圧されたとしても、フロート１０５の姿勢が大きく崩れることを防止できる。したがって、排液トラップ１００は、フロート１０５を安定的に動作させて、椀１０３と消泡筒１０４を互いに精度良く閉塞することができる。
【００３５】
（３）さらに、フロート１０５は、例えば内方突出部１０３ｃに対して面接触する構成としてもよい。
【００３６】
このような構成の排液トラップ１００によれば、フロート１０５が内方突出部１０３ｃに対して線接触する構成と比較して、フロート１０５を内方突出部１０３ｃに対して面接触させることによって、フロート１０５と椀１０３との密閉性を向上させることができる。したがって、排液トラップ１００は、例えば下水管の内部の臭気が室内に伝播することをより効果的に防止できる。
【００３７】
（４）さらに、フロート１０５は、例えば内方突出部１０３ｃに対して重力方向と交差した方向から面接触する構成としてもよい。
【００３８】
このような構成の排液トラップ１００によれば、フロート１０５が内方突出部１０３ｃに対して当接するように面接触する構成と比較して、フロート１０５の自重を利用し、そのフロート１０５を内方突出部１０３ｃに押圧するように面接触させることによって、フロート１０５と椀１０３との密閉性を非常に効果的に向上させることができる。したがって、排液トラップ１００は、例えば下水管の内部の臭気が室内に伝播することを、非常に効果的に防止できる。
【００３９】
（５）さらに、フロート１０５は、椀１０３の外縁１０３ｅの位置よりも上方に移動自在とした構成としてもよい。
【００４０】
このような構成の排液トラップ１００によれば、フロート１０５が椀１０３に貯留された排水Ｗの増加に伴って上方に移動したときに、フロート１０５が排水Ｗの排出を阻害することなく、椀１０３の全周にわたる外縁１０３ｅから排水Ｗを十分に排出させることができる。
【００４１】
（６）さらに、フロート１０５は、排水Ｗよりも比重が小さい構成としてもよい。
【００４２】
このような構成の排液トラップ１００によれば、フロート１０５を排水Ｗに浮上させた状態で、そのフロート１０５を排水Ｗの水位に応じて上下に移動させることができる。したがって、排液トラップ１００は、フロート１０５が排水Ｗから付勢されなくても、フロート１０５を上方に移動させて排水Ｗの排出を促すことができる。特に、このような構成の排液トラップ１００は、排水Ｗの流量が少なかったり水圧が低かったりして、その排水Ｗを用いてフロート１０５を十分に押圧して上方に移動させることが難しい場合に、効果的である。
【００４３】
（７）さらに、規制部材は、椀１０３の内面から内方に突出した内方突出部１０３ｃとした構成としてもよい。
【００４４】
このような構成の排液トラップ１００によれば、内方突出部１０３ｃからなる非常に簡便な構成の規制部材によって、フロート１０５が椀１０３の底面１０３ａから離間した位置よりも下方に移動することを確実に規制することができる。
【００４５】
（８）さらに、消泡筒１０４と椀１０３との間に配設され、椀１０３に接続する中間部材（封水筒１０７）を、有する構成としてもよい。フロート１０５は、封水筒１０７と椀１０３との間に配設されている。
【００４６】
このような構成の排液トラップ１００によれば、封水筒１０７によって、フロート１０５を、消泡筒１０４の外形状に依存することなく、より任意の形状によって形成することができる。さらに、排液トラップ１００は、排水継手１１２を接続した消泡筒１０４が傾斜していたり、排水Ｗの流入によって消泡筒１０４が振動したりしても、その消泡筒１０４に起因することなく、フロート１０５を安定的に動作させることができる。
【００４７】
（９）さらに、フロート１０５は、封水筒１０７の外面１０７ｃに沿って上下方向に移動する構成としてもよい。
【００４８】
このような構成の排液トラップ１００によれば、椀１０３に接続され姿勢が安定している封水筒１０７の外面１０７ｃに沿って、フロート１０５を上下方向に移動させることができる。したがって、排液トラップ１００は、封水筒１０７を用い、フロート１０５を安定的に上下方向に移動させることができる。
【００４９】
以上、本発明における好適な実施形態を説明したが、これらは本発明を説明するための例示であり、本発明の範囲をこれらの実施形態にのみ限定する趣旨ではない。したがって、本発明は、その要旨を逸脱しない範囲で、上述した実施形態とは異なる種々の態様で実施することができる。すなわち、本発明は、特許請求の範囲に記載された構成に基づき様々な改変が可能であり、それらについても本発明の範疇である。
【００５０】
例えば、実施形態では、排液トラップ１００を、例えば下水管の内部の臭気が室内に伝播することを防止する構成として説明したが、このような構成に限定されることはない。すなわち、排液トラップ１００は、外部の気体が内部に伝播することを防止する構成に広く適用することができる。
【００５１】
また、実施形態では、排液トラップ１００を、排水Ｗを貯留しつつ外部に排出する構成として説明したが、このような構成に限定されることはない。すなわち、排液トラップ１００は、排出する油や溶剤を貯留しつつ外部に排出する構成に広く適用することができる。
【００５２】
また、実施形態では、規制部材を、内方突出部１０３ｃの構成として説明したが、このような構成に限定されることはない。規制部材は、フロート１０５が椀１０３の底面１０３ａから離間した位置よりも下方に移動することを規制するものであれば広く適用することができる。すなわち、規制部材は、例えば、フロートストッパー１０６としてもよいし、消泡筒１０４の外面から外方に突出させた突出部としてもよいし、封水筒１０７の外面から外方に突出させた突出部としてもよい。
【符号の説明】
【００５３】
１００    排液トラップ、
１０１    筐体、
１０１ａ  上端、
１０１ｂ  排出部、
１０１ｃ  排出口、
１０２    スリップパッキン、
１０３    椀（貯留部材）、
１０３ａ  底面、
１０３ｂ  側面、
１０３ｃ  内方突出部、
１０３ｄ  開口、
１０３ｅ  外縁、
１０４    消泡筒（流通部材）、
１０４ａ  上部、
１０４ｂ  下部、
１０５    フロート（閉塞部材）、
１０５ａ  外周面、
１０５ｂ  内周面、
１０６    フロートストッパー、
１０６ａ  上部、
１０６ｂ  下部、
１０７    封水筒（中間部材）、
１０７ａ  上部、
１０７ｂ  下部、
１０７ｃ  外面、
１０７ｄ  斜面、
１０８    平状パッキン、
１０９    Ｕ字状パッキン、
１１０    目皿受、
１１０ａ  上部、
１１０ｂ  下部、
１１１    目皿、
１１２    排水継手、
１１２ａ  一端部、
１１２ｂ  他端部、
Ｗ        排水、
Ｆ        排水の流れ（一点鎖線で示す矢印）、
Ｓ        臭気の流れ（二点鎖線で示す矢印）。
【図１】
2015229835.tif 000003
【図２】
2015229835.tif 000004
【図３】
2015229835.tif 000005